(57)【要約】      （修正有）【課題】支柱の所望とする高さに取り付けることができ、しかも、簡単な作業で短時間に所望とする大きさの「園芸用あんどん」を組み立てることができるとともに、組み立て後においては崩れにくい園芸用植物保持具を提供する。【解決手段】第１保持バンド１００と第２保持バンド２００とを備え、第１保持バンド及び第２保持バンドは、支柱を着脱自在に把持する第１、第２支柱把持部１１０，２１０と、第１、第２支柱把持部から延出する第１、第２帯状延出部１２０，２２０とを有し、第１帯状延出部１２０には第１連結部１３０が設けられ、第２帯状延出部２２０には第２連結部２３０が設けられ、第１連結部及び第２連結部は、それぞれ長手方向において重なりを有し、かつ、重なりの長さが可変となるように連結可能である。【選択図】図１
0003190150.tif 000002
【実用新案登録請求の範囲】
【請求項１】
園芸植物を取り囲むように所定間隔をおいて立設された複数の支柱の各支柱を繋ぐようにして前記各支柱に取り付けることにより、前記園芸植物が所定範囲を超えて広がることを抑制するための園芸植物保持具であって、
可撓性を有する部材でなる帯状の第１保持バンドと、可撓性を有する部材でなる帯状の第２保持バンドとを備え、
前記第１保持バンドは、前記支柱に着脱自在に取り付け可能な第１支柱把持部と、当該第１支柱把持部から帯状に延出する第１帯状延出部とを有し、
前記第２保持バンドは、前記支柱に着脱自在に取り付け可能な第２支柱把持部と、当該第２支柱把持部から帯状に延出する第２帯状延出部とを有し、
前記第１帯状延出部には、第１連結部が当該第１帯状延出部の長手方向に沿って設けられ、
前記第２帯状延出部には、第２連結部が当該第２帯状延出部の長手方向に沿って設けられ、
前記第１連結部及び前記第２連結部は、当該第１連結部と第２連結部とがそれぞれ長手方向において重なりを有した状態で連結可能で、かつ、前記重なりの長さが前記長手方向において可変となるように連結可能となっていることを特徴とする園芸植物保持具。
【請求項２】
請求項１に記載の園芸植物保持具において、
前記第１支柱把持部は、平面視したときの形状が、ほぼＣ字形状をなし、当該第１支柱把持部の空間に前記支柱を挿入した状態で前記支柱を把持する構造をなしており、
前記第２支柱把持部は、平面視したときの形状が、ほぼＣ字形状をなし、当該第２支柱把持部の空間に前記支柱を挿入した状態で前記支柱を把持する構造をなしていることを特徴とする園芸植物保持具。
【請求項３】
請求項１又は２に記載の園芸植物保持具において、
前記第１連結部は、前記第１帯状延出部の長手方向に沿って見たときの端面形状が、ほぼＣ字形状をなす長溝が前記長手方向に沿って設けられた構造をなしており、
前記第２連結部は、前記長溝に嵌入可能となる凸部が設けられた構造をなしていることを特徴とする園芸植物保持具。
【請求項４】
請求項３に記載の園芸植物保持具において、
前記第１連結部及び前記第２連結部には、当該第１連結部と第２連結部とがそれぞれ長手方向において重なりを有した状態で連結した状態となったときに、当該第１連結部と第２連結部とが前記長手方向に沿って滑り動くことを防止するための滑り止め部が形成されていることを特徴とする園芸植物保持具。
【請求項５】
請求項１又は２に記載の園芸植物保持具において、
前記第１連結部は、貫通孔が前記長手方向において所定間隔ごとに複数個設けられた構造をなしており、
前記第２連結部は、前記貫通孔に嵌入可能な突起が少なくとも１個設けられた構造をなしていることを特徴とする園芸植物保持具。
【請求項６】
請求項１〜５のいずれかに記載の園芸植物保持具において、
前記園芸植物は、サボテンであることを特徴とする園芸植物保持具。
【請求項７】
請求項１〜６のいずれかに記載の園芸植物保持具において、
前記第１支柱把持部及び前記第２支柱把持部が把持可能な外径を有する支柱をさらに備えることを特徴とする園芸植物保持具。
【請求項８】
園芸植物を取り囲むように所定間隔をおいて立設された複数の支柱の各支柱を繋ぐようにして前記各支柱に取り付けることにより、前記園芸植物が所定範囲を超えて広がることを抑制するための園芸植物保持具であって、
可撓性を有する部材でなる帯状の第１保持バンドと、可撓性を有する部材でなる帯状の第２保持バンドとを備え、
前記第１保持バンドは、前記支柱に着脱自在に取り付け可能な第１支柱把持部と、当該第１支柱把持部から帯状に延出する第１帯状延出部とを有し、
前記第２保持バンドは、前記支柱に着脱自在に取り付け可能な第２支柱把持部と、当該第２支柱把持部から帯状に延出する第２帯状延出部とを有し、
前記第１帯状延出部又は前記第２帯状延出部には、
当該第１帯状延出部及び当該第２帯状延出部のうちの一方の帯状延出部を、他方の帯状延出部の一方側の面から他方側の面に貫通可能な帯状延出部通し孔と、
前記帯状延出部通し孔を有する帯状延出部にスライド可能に設けられており、前記一方の帯状延出部が前記帯状延出部通し孔を貫通した状態となったときに、前記一方の帯状延出部を折り曲げた状態で前記第１帯状延出部と前記第２帯状延出部とを対面接触させることによって前記第１帯状延出部及び前記第２帯状延出部の前記長手方向に沿った動きを止めるストッパーと、
が設けられていることを特徴とする園芸植物保持具。
【考案の詳細な説明】
【技術分野】
【０００１】
本考案は、園芸植物の枝葉が成長に伴って必要以上に広がらないように保持する園芸植物保持具に関する。
【背景技術】
【０００２】
鉢植えなどの園芸植物の枝葉が必要以上に広がってしまうことは、当該園芸植物の設置スペースの大きさなどによっては、好ましくない場合もある。このため、成長する園芸植物を取り囲むように、必要に応じて複数本の支柱を所定間隔で立設し、各支柱を紐などで囲むようにして、枝葉が必要以上に広がることを抑制することが一般的に行われている。この場合、園芸植物の成長に応じて、その都度、支柱の位置を変更して、紐を付け替えるといったことを行っている。
【０００３】
このように、園芸植物の成長に応じて、その都度、支柱の位置を変更して、紐を付け替えるといった作業は、対象となる園芸植物が多数存在する場合にはきわめて面倒である。特に、１つ１つの園芸植物において、上下方向に複数段、紐で囲っている場合には、複数の園芸植物すべてにおいて同様の作業を行うこととなり、多くの時間と手間を要する。このため、従来から、枝葉が必要以上に広がってしまうことを抑制するための園芸植物保持具が種々提案されている（例えば、特許文献１参照。）。
【０００４】
図９は、特許文献１に記載されている園芸植物保持具９００を説明するために示す図である。なお、図９（ａ）は、特許文献１に記載されている園芸植物保持具９００の斜視図であり、図９（ｂ）は、当該園芸植物保持具９００を複数個用いて「園芸用あんどん」として組み立てた状態を示している。
【０００５】
特許文献１に記載されている園芸植物保持具９００は、図９に示すように、支柱部９１０と、帯状の横枠部９２０とによって構成されており、支柱部９１０の上端部から横枠部９２０が直角方向に延出している。横枠部９２０の一端側には、他の支柱を挿入するための支柱挿入孔９２１が形成されており、他端側には波状部９２２が形成されている。なお、支柱部９１０と横枠部９２０とは一体構造となっている。
【０００６】
また、横枠部９２０の一端側には、他の横枠部９２０を連結するためのホルダー９２３が形成されている。当該ホルダー９２３は、Ｕ字状の溝を有しており、他の横枠部の波状部９２２を当該Ｕ字状の溝に差し込むことによって他の横枠部との連結が可能となっている。
【０００７】
このように構成されている園芸植物保持具９００を複数用いることによって、図９（ｂ）に示すような「園芸用あんどん９５０」を組み立てることができる。すなわち、複数の園芸植物保持具９００の各支柱部９１０を園芸植物（図示せず。）を取り囲むように所定間隔で配設し、当該園芸植物保持具９００における横枠部９２０の波状部９２２を隣り合って立設される園芸植物保持具のホルダー９２３に差し込むという作業を繰り返し行う。これにより、一段目Ｓ１が完成する。
【０００８】
続いて、一段目Ｓ１の各園芸植物保持具９００における横枠部９２０の支柱挿入孔９２１に、二段目となる各園芸植物保持具９００の各支柱部９１０の下端部をそれぞれ差し込んだのち、二段目となる各園芸植物保持具９００における横枠部９２０の波状部９２２を隣り合って立設される園芸植物保持具のホルダー９２３に差し込むという作業を繰り返し行う。これにより、二段目Ｓ２が完成する。このような作業を行うことにより、図９（ｂ）に示すような「園芸用あんどん９５０」を組み立てることができる。
【先行技術文献】
【特許文献】
【０００９】
【特許文献１】特開２００１−１２００７５号公報
【考案の概要】
【考案が解決しようとする課題】
【００１０】
しかしながら、特許文献１に記載されている園芸植物保持具９００においては、図９に示すように、支柱部９１０と横枠部９２０とが一体構造となっているものを、組み合わせて使用するものであるため、例えば、複数段の「園芸用あんどん」を組み立てた場合には、組み立てられた「園芸用あんどん」の各段の高さは一定とならざるを得ない。このため、各段の中間においても、枝葉の広がりを抑制したい場合には、紐などで囲む必要が出てくる。
【００１１】
また、特許文献１に記載されている園芸植物保持具９００は、図９（ａ）に示すような園芸植物保持具９００を組み合わせて、１つの「園芸用あんどん」を組み立てるものであるため、比較的大きな「園芸用あんどん」を組み立てようとすると、図９（ａ）に示す園芸植物保持具９００を多数組み合わせる作業を繰り返し行うことが必要となる。このため、１つの「園芸用あんどん」の組み立てが面倒であり、多くの時間を要する。
【００１２】
このように、１つの「園芸用あんどん」の組み立てが面倒で、多くの時間を要すると、「園芸用あんどん」の組み立て中に、思わぬ不具合が生じる場合もある。例えば、サボテンなどがある程度成長した状態で「園芸用あんどん」を組み立てる場合においては、サボテンの「とげ」が刺さらないように注意を払いながら手早く組み立てる必要があるが、特許文献１に記載されている園芸植物保持具９００は「園芸用あんどん」の組み立てが面倒であり、多くの時間を要するため、組み立て中にサボテンの「とげ」が刺さってしまう可能性も高くなる。
【００１３】
また、特許文献１に記載されている園芸植物保持具９００は、組み立てた後においては、各園芸植物保持具９００の支柱部９１０は、下端部が他の園芸植物保持具９００の支柱挿入孔９２１に差し込まれているだけであるので、上方向への引っ張り力が加わると、支柱部９１０が支柱挿入孔９２１から外れやすく、全体が崩れて、ばらばらとなってしまう場合もあり得る。
【００１４】
本考案は上記事情に鑑みてなされたものであり、支柱の所望とする高さに取り付けることができ、しかも、簡単な作業で短時間に所望とする大きさの「園芸用あんどん」を組み立てることができるとともに、組み立て後においては型崩れしにくい「園芸用あんどん」とすることができる園芸植物保持具を提供することを目的とする。
【課題を解決するための手段】
【００１５】
［１］本考案の園芸植物保持具は、園芸植物を取り囲むように所定間隔をおいて立設された複数の支柱の各支柱を繋ぐようにして前記各支柱に取り付けることにより、前記園芸植物が所定範囲を超えて広がることを抑制するための園芸植物保持具であって、可撓性を有する部材でなる帯状の第１保持バンドと、可撓性を有する部材でなる帯状の第２保持バンドとを備え、前記第１保持バンドは、前記支柱に着脱自在に取り付け可能な第１支柱把持部と、当該第１支柱把持部から帯状に延出する第１帯状延出部とを有し、前記第２保持バンドは、前記支柱に着脱自在に取り付け可能な第２支柱把持部と、当該第２支柱把持部から帯状に延出する第２帯状延出部とを有し、前記第１帯状延出部には、第１連結部が当該第１帯状延出部の長手方向に沿って設けられ、前記第２帯状延出部には、第２連結部が当該第２帯状延出部の長手方向に沿って設けられ、前記第１連結部及び前記第２連結部は、当該第１連結部と第２連結部とがそれぞれ長手方向において重なりを有した状態で連結可能で、かつ、前記重なりの長さが前記長手方向において可変となるように連結可能となっていることを特徴とする。
【００１６】
このような構成となっているため、本考案によれば、支柱の所望とする高さに取り付けることができ、しかも、簡単な作業で短時間に、上下方向の高さ及び左右方向の幅がそれぞれ所望とするサイズを有する「園芸用あんどん」を組み立てることができるとともに、組み立て後においては型崩れしにくい「園芸用あんどん」とすることができる。
【００１７】
［２］本考案の園芸植物保持具においては、前記第１支柱把持部は、平面視したときの形状が、ほぼＣ字形状をなし、当該第１支柱把持部の空間に前記支柱を挿入した状態で前記支柱を把持する構造をなしており、前記第２支柱把持部は、平面視したときの形状が、ほぼＣ字形状をなし、当該第２支柱把持部の空間に前記支柱を挿入した状態で前記支柱を把持する構造をなしていることが好ましい。
【００１８】
第１保持バンドの第１支柱把持部及び第２保持バンドの第２支柱把持部がこのような構造をなしていることにより、第１保持バンド及び第２保持バンドを支柱の所望とする高さに簡単に取り付けることができ、また、取り外しも容易であるため、取り付け位置の変更も簡単に行える。
【００１９】
［３］本考案の園芸植物保持具においては、前記第１連結部は、前記第１帯状延出部の長手方向に沿って見たときの形状が、ほぼＣ字形状をなす長溝が前記長手方向に沿って設けられた構造をなしており、前記第２連結部は、前記長溝に嵌入した状態で前記長溝内を前記長手方向に沿って往復移動可能となる凸部が設けられた構造をなしていることが好ましい。
【００２０】
第１連結部及び第２連結部がこのような構造をなしていることにより、第１連結部と第２連結部との重なり長さを長手方向において可変とすることができ、それによって、隣り合う２つの支柱間において、第１保持バンドと第２保持バンドとの連結後の長さが適宜調整可能となる。
【００２１】
［４］本考案の園芸植物保持具においては、前記第１連結部及び前記第２連結部には、当該第１連結部と第２連結部とがそれぞれ長手方向において重なりを有した状態で連結した状態となったときに、当該第１連結部と第２連結部とが前記長手方向に沿って滑り動くことを防止するための滑り止め部が形成されていることが好ましい。
【００２２】
このような滑り止め部が形成されていることにより、第１保持バンドの第１連結部と第２保持バンドの第２連結部とを相互に連結したあとに、第１保持バンドと第２保持バンドに対して長手方向に沿った力が加わっても、第１保持バンドと第２保持バンドとの連結が容易には外れることがない。
【００２３】
［５］本考案の園芸植物保持具においては、前記第１連結部は、貫通孔が前記長手方向において所定間隔ごとに複数個設けられた構造をなしており、前記第２連結部は、前記貫通孔に嵌入可能な突起が少なくとも１個設けられた構造をなしていることも好ましい。
【００２４】
第１連結部及び第２連結部がこのような構造をなしていることによっても、第１連結部と第２連結部との重なり長さを長手方向において可変とすることができ、それによって、隣り合う２つの支柱間において、第１保持バンドと第２保持バンドとの連結後の長さが適宜調整可能となる。
【００２５】
［６］本考案の園芸植物保持具においては、前記園芸植物は、サボテンであることが好ましい。
【００２６】
前述したように、サボテンなどがある程度成長した状態で「園芸用あんどん」を組み立てる際に、サボテンの「とげ」が刺さらないように注意を払いながら手早く組み立てる必要があるが、本考案によれば、簡単な作業で容易にかつ短時間で所望とする大きさの「園芸用あんどん」を組み立てることができるため、組み立てに手間取ることなく、簡単にかつ短時間に組み立てることができる。このため、組み立て中にサボテンの「とげ」が刺さってしまうといったことを極力防ぐことができる。
【００２７】
［７］本考案の園芸植物保持具においては、前記第１支柱把持部及び前記第２支柱把持部が把持可能な外径を有する支柱をさらに備えることが好ましい。
【００２８】
このような支柱を備えることにより、所望とする「園芸用あんどん」を手軽に組み立てることができる。
【００２９】
［８］本考案の園芸植物保持具は、園芸植物を取り囲むように所定間隔をおいて立設された複数の支柱の各支柱を繋ぐようにして前記各支柱に取り付けることにより、前記園芸植物が所定範囲を超えて広がることを抑制するための園芸植物保持具であって、可撓性を有する部材でなる帯状の第１保持バンドと、可撓性を有する部材でなる帯状の第２保持バンドとを備え、前記第１保持バンドは、前記支柱に着脱自在に取り付け可能な第１支柱把持部と、当該第１支柱把持部から帯状に延出する第１帯状延出部とを有し、前記第２保持バンドは、前記支柱に着脱自在に取り付け可能な第２支柱把持部と、当該第２支柱把持部から帯状に延出する第２帯状延出部とを有し、前記第１帯状延出部又は前記第２帯状延出部には、当該第１帯状延出部及び当該第２帯状延出部のうちの一方の帯状延出部を、他方の帯状延出部の一方側の面から他方側の面に貫通可能な帯状延出部通し孔と、前記帯状延出部通し孔を有する帯状延出部にスライド可能に設けられており、前記一方の帯状延出部が前記帯状延出部通し孔を貫通した状態となったときに、前記一方の帯状延出部を折り曲げた状態で前記第１帯状延出部と前記第２帯状延出部とを対面接触させることによって前記第１帯状延出部及び前記第２帯状延出部の前記長手方向に沿った動きを止めるストッパーと、が設けられていることを特徴とする。
【００３０】
本考案の園芸植物保持具（［８］に記載の本考案の園芸植物保持具）によれば、前記［１］に記載の園芸植物保持具と同様の効果を有するとともに、当該［８］に記載の本考案の園芸植物保持具においては、第１帯状延出部及び第２帯状延出部の長手方向に沿った動きを止めるストッパーが設けられているため、第１帯状延出部と第２帯状延出部との連結が容易に外れてしまうことがないという効果も有している。なお、ストッパーはスライド可能となっているため、ストッパーをスライドさせるだけの簡単な操作を行うだけで第１保持バンド１００と第２保持バンド２００との連結を容易に行うことができる。
【図面の簡単な説明】
【００３１】
【図１】実施形態１に係る園芸植物保持具１０を説明するために示す斜視図である。
【図２】実施形態１に係る園芸植物保持具１０を支柱に取り付けて「園芸用あんどん」を構成した状態を示す図である。
【図３】実施形態１に係る園芸植物保持具１０の第１変形例を説明するために示す図である。
【図４】実施形態１に係る園芸植物保持具１０の第２変形例を説明するために示す図である。
【図５】実施形態２に係る園芸植物保持具２０を説明するために示す斜視図である。
【図６】実施形態２に係る園芸植物保持具２０における第１保持バンド１００と第２保持バンド２００とを連結させた状態を示す図である。
【図７】実施形態３に係る園芸植物保持具３０を説明するために示す斜視図である。
【図８】実施形態３に係る園芸植物保持具３０における第１保持バンド１００と第２保持バンド２００とを連結させた状態を示す図である。
【図９】特許文献１に記載されている園芸植物保持具９００を説明するために示す図である。
【考案を実施するための形態】
【００３２】
以下、本考案の実施形態について説明する。
【００３３】
［実施形態１］
図１は、実施形態１に係る園芸植物保持具１０を説明するために示す斜視図である。実施形態１に係る園芸植物保持具１０は、図１に示すように、合成樹脂などでなる細い帯状の第１保持バンド１００と、同じく合成樹脂などでなる細い帯状の第２保持バンド２００とを備え、これら第１保持バンド１００及び第２保持バンド２００は可撓性を有する。
【００３４】
第１保持バンド１００は、図１に示すように、支柱５１０〜５３０（図２参照。）に着脱自在に取り付け可能な第１支柱把持部１１０と、第１支柱把持部１１０から延出する第１帯状延出部１２０とを有し、当該第１帯状延出部１２０の一方の面（表面とする。）１２０ａには、第１連結部１３０が設けられている。
【００３５】
第１支柱把持部１１０は、ｚ軸に沿って平面視したときの形状が、ほぼＣ字形状をなし、当該第１支柱把持部１１０の空間に支柱（例えば、図２における支柱５１０とする。）を挿入することにより、支柱５１０を把持するような構造をなしている。なお、実施形態１に係る園芸植物保持具１０においては、ｚ軸に沿って平面視したときの第１支柱把持部１１０の形状は、開口部１１１を有する円弧状であるとする。
【００３６】
このような構造をなす第１支柱把持部１１０は弾性を有している。このため、第１支柱把持部１１０は、支柱５１０を弾性により把持可能となっている。すなわち、第１支柱把持部１１０には開口部１１１が形成されており、当該開口部１１１を支柱５１０に所定の力で押し当てることにより、開口部１１１が広がって、支柱５１０を内部に挿入した状態で当該支柱５１０を把持することができる。
【００３７】
なお、各支柱５１０〜５３０は、実施形態１に係る園芸植物保持具１０専用の支柱としてもよいが、第１支柱把持部１１０が把持可能な太さ（外径）を有する支柱をユーザーが用意してもよい。なお、支柱５１０〜５３０の太さ（外径）は、第１支柱把持部１１０の内径Ｄ１とほぼ同じか、内径Ｄ１よりもやや大きい程度のものが好ましい。また、開口部１１１の開口幅Ｗ１は、第１支柱把持部１１０の内径Ｄ１よりもやや小さく設定されている。
【００３８】
また、第１支柱把持部１１０の開口部１１１は、第１保持バンド１００の裏面側（表面とは反対側の面）に存在し、その向きａは第１保持バンド１００の長手方向（図１におけるｘ軸に沿った方向とする。）と直交する方向となっている。すなわち、第１支柱把持部１１０の開口部１１１の向きａは、図１におけるｙ軸方向となる。
【００３９】
第１連結部１３０は、第１帯状延出部１２０の長手方向に沿って見たときの形状が、ほぼＣ字形状をなす長溝１３１が第１帯状延出部１２０の長手方向に沿って設けた構造をなしている。当該第１連結部１３０も弾性を有している。なお、実施形態１に係る園芸植物保持具１０においては、第１帯状延出部１２０の長手方向に沿って見たときの第１連結部１３０の形状は、開口部１３２を有する円弧状とし、当該長溝１３１の内径をＤ２とし、当該長溝１３１の開口部１３２の開口幅をＷ２とする。
【００４０】
また、第１連結部１３０の長溝１３１は、第１帯状延出部１２０の先端側（第１支柱把持部１１０側とは反対側）において、ユーザーが指で第１帯状延出部１２０を摘まむことができる「摘み部１４１」を残すとともに、第１支柱把持部１１０の側においても、摘み部１４１と同等の長さを有する余白部１４２を残して形成されることが好ましい。
【００４１】
一方、第２保持バンド２００は、図１に示すように、支柱５１０〜５３０（図２参照。）に着脱自在に取り付け可能な第２支柱把持部２１０と、第２支柱把持部２１０から延出する第２帯状延出部２２０とを有し、当該第２帯状延出部２２０の一方の面（裏面とする。）２２０ｂには、第２連結部２３０が設けられている。
【００４２】
第２支柱把持部２１０は、第１保持バンド１００の第１支柱把持部１１０と同様の構造をなしている。すなわち、第２支柱把持部２１０は、ｚ軸に沿って平面視したときの形状が、ほぼＣ字形状をなし、当該第２支柱把持部２１０の空間に支柱（例えば、図２における支柱５２０とする。）を挿入することにより、支柱５２０を把持するような構造をなしている。なお、実施形態１に係る園芸植物保持具１０においては、ｚ軸に沿って平面視したときの第２支柱把持部２１０の形状は、開口部２１１を有する円弧状であるとする。
【００４３】
また、第２支柱把持部２１０の開口部２１１は、第２保持バンド２００の裏面２２０ｂに存在し、その向きｂは第２保持バンド２００の長手方向（図１におけるｘ軸に沿った方向とする。）と直交する方向となっている。すなわち、第２支柱把持部２１０の開口部２１１の向きｂは、図１におけるｙ’軸方向となる。
【００４４】
第２連結部２３０は、第１連結部１３０の長溝１３１に嵌入可能で、かつ、第１保持バンド１００における第１連結部１３０の長溝１３１に嵌入した状態で、当該長溝１３１内で長手方向（ｘ軸に沿った方向）に沿って往復移動可能となる凸部２３１が設けられた構造をなしている。
【００４５】
実施形態１に係る園芸植物保持具１０においては、凸部２３１は細長い円柱形状をなしており、第２帯状延出部２２０の長手方向に沿って所定範囲内に設けられている。なお、円柱状の凸部２３１の外径Ｄ３は、第１連結部１３０の長溝１３１の開口幅Ｗ２よりもやや大きく、かつ、第１連結部１３０の長溝１３１の内径Ｄ２とほぼ同等に設定されている。また、当該凸部２３１の第２帯状延出部２２０との付け根部には、くびれ部２３２が設けられている。
【００４６】
また、第２連結部２３０も第１連結部１３０と同様、凸部２３１は第２帯状延出部２２０の先端側（第２支柱把持部２１０側とは反対側）において、摘み部２４１を残すとともに、第２支柱把持部２１０の側においても、摘み部２４１と同様の長さを有する余白部２４２を残して形成されることが好ましい。
【００４７】
図２は、実施形態１に係る園芸植物保持具１０を支柱に取り付けて「園芸用あんどん」を構成した状態を示す図である。なお、ここでは、園芸植物（図示せず。）を取り囲むように所定間隔ごとに立設された複数本（３本とする。）の支柱（第１支柱５１０、第２支柱５２０及び第３支柱５３０という。）に、実施形態１に係る園芸植物保持具１０を取り付ける場合を説明する。図２（ａ）は「園芸用あんどん」を構成した状態を示す斜視図であり、図２（ｂ）は図２（ａ）の一部の平面図であり、図２（ｃ）は、図２（ｂ）の破線円で示す部分のｘ−ｘ線矢視拡大図である。
【００４８】
実施形態１に係る園芸植物保持具１０を第１支柱５１０、第２支柱５２０及び第３支柱５３０に取り付けるには、まずは、第１保持バンド１００の第１支柱把持部１１０を第１支柱５１０の所望とする高さに、図２（ａ），（ｂ）に示すように把持させる。なお、第１支柱５１０と第２支柱５２０との間隔は、第１保持バンド１００の第１連結部１３０と第２保持バンド２００の第２連結部２３０とがそれぞれ長手方向において重なりを有した状態で連結可能となるような範囲としておく。具体的には、第１連結部１３０の長溝１３１に第２連結部２３０の凸部２３１が嵌入可能となり、かつ、第１連結部１３０の長溝１３１内を第２連結部２３０の凸部２３１が所定範囲で往復移動可能となるように設定しておく。
【００４９】
そして、第１保持バンド１００における第１帯状延出部１２０の表面１２０ａと第２保持バンド２００における第２帯状延出部２２０の裏面２２０ｂとを対面させた状態で、第１保持バンド１００の長溝１３１に第２保持バンド２００の凸部２３１を嵌入させる（図２（ｃ）参照。）。
【００５０】
なお、第２保持バンド２００における凸部２３１の外径Ｄ３（図１参照。）は、第１保持バンド１００における長溝１３１の開口幅Ｗ２よりもやや大きく、かつ、第１連結部１３０の長溝１３１の内径Ｄ２とほぼ同等に設定されているため、第１保持バンド１００の長溝１３１に第２保持バンド２００の凸部２３１が嵌入する際には、凸部２３１が長溝１３１の開口部１３２を押し広げるようにして入り、凸部２３１が長溝１３１に嵌入したあとにおいては、くびれ部２３２の存在により、凸部２３１は長溝１３１から容易に抜けてしまうことがない。
【００５１】
このように、第１保持バンド１００の長溝１３１に第２保持バンド２００の凸部２３１が嵌入した状態においては、第１保持バンドの第１連結部１３０と第２保持バンドの第２連結部２３０との重なりの長さを適宜設定することができる。
【００５２】
第１保持バンド１００の第１連結部１３０と第２保持バンド２００の第２連結部２３０の重なりの長さの設定は、第１保持バンド１００の長溝１３１に第２保持バンド２００の凸部２３１を嵌入させた状態（図２（ｂ）参照。）として、第１保持バンド１００の長溝１３１内において第２保持バンド２００の凸部２３１をスライドさせることにより行うことができる。
【００５３】
例えば、第１保持バンド１００の摘み部１４１と、第２保持バンド２００の摘み部２４１とを両手の指でそれぞれ摘まんで両者を互いに引っ張り合うことにより、第１保持バンド１００の第１連結部１３０と第２保持バンド２００の第２連結部２３０との重なりの長さを長くすることができる。ここで、「第１連結部１３０と第２連結部２３０との重なりの長さを長くする」ということは、隣り合う２つの支柱間（この場合、第１支柱５１０と第２支柱５２０との間）において、第１保持バンド１００と第２保持バンドとの連結後の長さが短くなるということである。
【００５４】
なお、第１連結部１３０と第２連結部２３０との重なりの長さを長くするには、一方の摘み部（例えば、摘み部２４１とする。）を摘まんだままとして、他方の摘み部（例えば、摘み部１４１とする。）のみを引っ張るようにしてもよい
また、逆に、第１保持バンド１００の摘み部１４１と、第２保持バンド２００の摘み部２４１とを両手の指でそれぞれ摘まんで両者押し合うことにより、第１保持バンド１００の第１連結部１３０と第２保持バンド２００の第２連結部２３０との重なりの長さを短くすることができる。ここで、「第１連結部１３０と第２連結部２３０との重なりの長さを短くする」ということは、隣り合う２つの支柱間（この場合、第１支柱５１０と第２支柱５２０との間）において、第１保持バンド１００と第２保持バンドとの連結後の長さが長くなるということである。
【００５５】
なお、第１保持バンド１００の第１連結部１３０と第２保持バンド２００の第２連結部２３０の重なりの長さの設定は、摘み部１４１，２４１ではなく、余白部１４２，２４２を摘まんで行うこともできる。
【００５６】
また、第１保持バンド１００の第１連結部１３０と第２保持バンド２００の第２連結部２３０の重なりの長さの設定は、重なりの大体の長さを始めから決めておき、その位置で第１保持バンド１００の表面と第２保持バンド２００の裏面とを対面させた状態で、第１保持バンドの長溝１３１に第２保持バンドの凸部２３１を嵌合させるようにしてもよい、この場合、第１保持バンドの長溝１３１に第２保持バンドの凸部２３１を嵌合させた後において、第１保持バンド１００の長溝１３１内において第２保持バンド２００の凸部２３１をスライドさせることにより重なり長さを適宜調整することができる。
【００５７】
続いて、第２支柱５２０と第３支柱５３０との間においても同様にして、第１保持バンド１００及び第２保持バンド２００を取り付け、さらに続いて、第３支柱５３０と第１支柱５１０との間においても同様にして、第１保持バンド１００と第２保持バンド２００と取り付ける。
【００５８】
これにより、第１支柱５１０、第２支柱５２０及び第３支柱５３０の上下方向における一段目Ｓ１に、それぞれ第１保持バンド１００及び第２保持バンド２００の取り付けがなされたこととなる。そして、二段目Ｓ２においても同様に、第１支柱５１０、第２支柱５２０及び第３支柱５３０に同様の手順で第１保持バンド１００及び第２保持バンド２００を取り付けることができる。また、図示は省略するが、必要に応じて第３段目以降も同様の手順で第１保持バンド１００及び第２保持バンド２００取り付けることができる。
【００５９】
なお、図２においては、第１支柱５１０、第２支柱５２０及び第３支柱５３０に取り付けられている第１保持バンド１００及び第２保持バンド２００は、連結後においてそれぞれが直線に近い状態となっている場合が描かれているが、これら第１保持バンド１００及び第２保持バンド２００は、可撓性を有しているため、各支柱５１０〜５３０間隔に比べて第１保持バンド１００及び第２保持バンド２００の連結後の長さを十分長くすることにより、全体として円に近い弧を描くように架け渡すことも可能である。
【００６０】
［実施形態１に係る園芸植物保持具１０の第１変形例］
図３は、実施形態１に係る園芸植物保持具１０の第１変形例を説明するために示す図である。実施形態１に係る園芸植物保持具１０の変形例においては、第２保持バンド２００の第２連結部２３０は、長手方向に沿った長さが短い円柱状の凸部２３３（短尺円柱状凸部２３３という。）が、第２帯状延出部２２０の長手方向に沿って所定間隔ごとに複数個設けられている。なお、図３において図１と同一構成要素には同一符号が付されている。第２保持バンド２００を図３に示すような構成としても、第１保持バンド１００と第２保持バンド２００とを図２に示すように連結することができる。
【００６１】
なお、図３においては、短尺円柱状凸部２３３が、第２帯状延出部２２０の長手方向に沿って所定間隔ごとに複数個設けられている場合を例示したが、短尺円柱状凸部２３３は、一個であってもよい。この場合、一個の短尺円柱状凸部２３３は、第２保持バンド２００における第２帯状延出部２２０の先端側（摘み部２４１が存在する側）に近い位置に設けることが好ましい。
【００６２】
また、短尺円柱状凸部２３３は、円柱形状に限られるものではなく、例えば、球形状の凸部（球形状凸部という。）であってもよい。なお、球形状凸部は、一個であってもよく、また、第２帯状延出部２２０の長手方向に沿って所定間隔ごとに複数個設けられていてもよい。球形状の凸部を一個とする場合には、当該１個の球形状凸部は、第２保持バンド２００における第２帯状延出部２２０の先端側（摘み部２４１が存在する側）に近い位置に設けることが好ましい。
【００６３】
［実施形態１に係る園芸植物保持具１０の第２変形例］
図４は、実施形態１に係る園芸植物保持具１０の第２変形例を説明するために示す図である。なお、図４は、図１における要部を拡大して示す図であり、図１と同一構成要素には同一符号が付されている。実施形態１に係る園芸植物保持具１０の第２変形例においては、第１連結部１３０及び第２連結部２３０には、当該第１連結部１３０と第２連結部２３０とがそれぞれ長手方向において重なりを有した状態で連結した状態となったときに、当該第１連結部１３０と第２連結部とが長手方向に沿って滑り動くことを防止するための滑り止め部１５０，２５０が形成されている。
【００６４】
図４に示すように、滑り止め部１５０は、第１連結部１３０の側に設けられており、滑り止め部２５０は、第２連結部２３０の側に設けられている。
第１連結部１３０の側に設けられている滑り止め部１５０としては、Ｃ字状をなす長溝１３１における内面の円周方向に形成されている滑り止め溝（滑り止め溝１５０ともいう。）を例示することができ、また、第２連結部２３０の側に設けられている滑り止め部２５０としては、滑り止め溝１５０に係合する滑り止め凸部（滑り止め凸部２５０ともいう。）を例示することができる。なお、滑り止め溝１５０及び滑り止め凸部２５０は、それぞれ長手方向に沿って所定間隔ごとに多数形成されている。
【００６５】
なお、図４においては、第１連結部１３０においては滑り止め溝１５０を形成し、第２連結部２３０においては滑り止め溝１５０に係合する滑り止め凸部２５０を形成するようにしたが、逆に、第１連結部１３０においては滑り止め凸部を形成し、第２連結部２３０においては、滑り止め溝を形成するようにしてもよい。
【００６６】
また、滑り止め部１５０、２５０としては、図４に示すような滑り止め溝１５０及び滑り止め突起に限られるこのではない。例えば、滑り止め部１５０，２５０としては、例えば、第１連結部１３０においては半球状、円錐状又は三角錐状などの凹部を長手方向に沿って所定間隔ごとに多数形成し、第２連結部２３０においては半球状、円錐状又は三角錐状などの凹部に係合する半球状、円錐状又は三角錐状などの凸部を長手方向に沿って所定間隔ごとに多数してもよい。この場合も、第１連結部１３０においては半球状、円錐状又は三角錐状などの凸部を形成し、第２連結部２３０においては半球状、円錐状又は三角錐状などの凹部を形成するようにしてもよい、
【００６７】
実施形態１に係る園芸植物保持具１０の第２変形例によれば、第１連結部１３０と第２連結部２３０とがそれぞれ長手方向において重なりを有した状態で連結した状態となったときに、第１連結部１３０と第２連結部２３０とが長手方向に沿って滑り動いてしまうことを防止することができる。このため、第１保持バンド１００の第１連結部と第２保持バンド２００の第２連結部とを相互に連結したあとに、第１保持バンド１００と第２保持バンド２００に対して長手方向に沿った力が加わっても、第１保持バンドと第２保持バンドとの連結が容易には外れることがない。
なお、このような滑り止め部１５０，２５０は、図３に示す「実施形態１に係る園芸植物保持具１０の第１変形例」においても適用できる。
【００６８】
以上説明したように、実施形態１に係る園芸植物保持具１０によれば、簡単な作業で短時間に、上下方向の高さ及び左右方向の幅がそれぞれ所望とするサイズを有する「園芸用あんどん」を組み立てることができ、かつ、組み立て後においては容易には崩れにくい「園芸用あんどん」とすることができる。
【００６９】
また、実施形態１に係る園芸植物保持具１０は、各支柱の所望とする高さに取り付けることができるため、植物の成長の度合いや枝葉の張り具合などに応じて、取り付けの高さを任意に設定することができる。
【００７０】
また、第１保持バンド１００と第２保持バンド２００との重なり長さを容易に設定することができるため、植物の成長の度合いや枝葉の張り具合などに応じて、第１保持バンド１００と第２保持バンド２００との重なり長さを容易に調整することができる。それによって、植物の成長を妨げることなく、植物が必要以上に横に広がることを抑制できる。
【００７１】
特に、実施形態１に係る園芸植物保持具１０は、簡単な作業で容易にかつ短時間で所望とする大きさの「園芸用あんどん」を組み立てることができるため、サボテンなどがある程度成長した状態において、例えば、図２に示すような「園芸用あんどん」を組み立てる際にも、組み立てに手間取ることなく、簡単にかつ短時間に組み立てることができる。これにより、組み立て中にサボテンの「とげ」が刺さってしまうといったことを極力防ぐことができる。
【００７２】
［実施形態２］
図５は、実施形態２に係る園芸植物保持具２０を説明するために示す斜視図である。実施形態２に係る園芸植物保持具２０が実施形態１に係る園芸植物保持具１０と異なるのは、第１保持バンド１００に設けられている第１連結部１３０及び第２保持バンド２００に設けられている第２連結部２３０の構造であり、その他は、実施形態１に係る園芸植物保持具１０と同様である。なお、実施形態２に係る園芸植物保持具２０において、実施形態１に係る園芸植物保持具１０と同一構成要素については同一符号が付されている。
【００７３】
実施形態２に係る園芸植物保持具２０においては、第１保持バンド１００の第１連結部１３０には、図５に示すように、第１帯状延出部１２０の長手方向に沿って所定間隔ごとに複数個の貫通孔１３５が設けられている。一方、第２保持バンド２００の第２連結部２３０には、図５に示すように、第２帯状延出部２２０の長手方向に沿って所定間隔ごとに複数個の突起２３５が設けられている。
【００７４】
第２保持バンド２００に設けられている複数個の突起２３５は、第１保持バンド１００の第１連結部１３０に設けられている複数個の貫通孔１３５と同様の間隔で設けられている。このため、第２連結部２３０に設けられている複数個の突起２３５が、第１連結部１３０に設けられている複数個の貫通孔１３５に対向した場合には、当該複数個の突起２３５はそれぞれ対向する貫通孔にすべてが嵌入可能となっている。なお、突起２３５の外径Ｄ５は貫通孔１３５の内径Ｄ４よりもやや大きく設定されている。また、突起２３５は、第２帯状延出部２２０との付け根部に、くびれ部２３６（図６（ｂ）参照。）を有している。
【００７５】
図６は、実施形態２に係る園芸植物保持具２０における第１保持バンド１００と第２保持バンド２００とを連結させた状態を示す図である。なお、図６（ａ）は実施形態２に係る園芸植物保持具２０を、図２に示すように各支柱（第１支柱５１０及び第２支柱５２０とする。）に取り付けた場合の平面図であり、図６（ｂ）は図６（ａ）の破線枠のｘ−ｘ線矢視断面図である。
【００７６】
実施形態２に係る園芸植物保持具２０においては、図６に示すように、第２保持バンド２００の突起２３５が第１保持バンド１００の貫通孔１３５に嵌入した状態で第１保持バンド１００と第２保持バンド２００とが連結される。なお、第２保持バンド２００の突起２３５の外径Ｄ５は、第１保持バンド１００の貫通孔１３５の内径Ｄ４よりもやや大きく設定されているため、第２保持バンド２００の突起２３５が第１保持バンド１００の貫通孔１３５に嵌入する際には、突起２３５が貫通孔１３５を押し広げるようにして嵌入し、突起２３５が貫通孔１３５に嵌入したあとにおいては、くびれ部２３６の存在により突起２３５は貫通孔１３５から容易に抜けてしまうことがない。
【００７７】
このように構成されている実施形態２に係る園芸植物保持具２０によっても、実施形態１に係る園芸植物保持具１０と同様、図２に示すような「園芸用あんどん」を組み立てることができる。
【００７８】
実施形態２に係る園芸植物保持具２０によれば、実施形態１に係る園芸植物保持具１０と同様の効果が得られる。さらに、実施形態２に係る園芸植物保持具２０においては、第２保持バンド２００の第２連結部２３０に設けられている個々の突起２３５が第１保持バンド１００の第１連結部１３０に設けられている個々の貫通孔１３５に嵌入した状態で連結されるため、第１保持バンド１００と第２保持バンド２００とが連結した状態においては、長手方向に沿って両者を引き離す方向の引っ張り力が働いた場合でも、連結が外れにくいといった効果が得られる。
【００７９】
［実施形態３］
図７は、実施形態３に係る園芸植物保持具３０を説明するために示す斜視図である。
図８は、実施形態３に係る園芸植物保持具３０における第１保持バンド１００と第２保持バンド２００とを連結させた状態を示す図である。図７及び図８において、図１と同一構成要素には同一符号が付されている。なお、第１保持バンド１００は、図７においては、裏面２１０ｂの側が示されている。以下、図７及び図８を参照して説明する。
【００８０】
実施形態３に係る園芸植物保持具３０は、図７及び図８に示すように、第１保持バンド１００と、第２保持バンド２００とを備え、第１保持バンド１００は、第１支柱把持部１１０と、当該第１支柱把持部１１０から帯状に延出する第１帯状延出部１２０とを有している。また、第１帯状延出部１２０の裏面２１０ｂには、滑り止め凸部１６０が長手方向に沿って多数形成されている。
【００８１】
一方、第２保持バンド２００は、第２支柱把持部２１０と、当該第２支柱把持部２１０から帯状に延出する第２帯状延出部２２０とを有している。また、第１帯状延出部１２０の表面２２０ａには、滑り止め凸部１６０を係合させる滑り止め溝２６０が長手方向に沿って多数形成されている。
【００８２】
また、当該第２帯状延出部２２０には、第１帯状延出部１２０を、当該第２帯状延出部２２０の一方側の面から他方側の面に貫通可能な帯状延出部通し孔２７０と、当該第２帯状延出部２２０にスライド可能に設けられているストッパー２８０とが設けられている。ストッパー２８０は、第１帯状延出部１２０が帯状延出部通し孔２７０を貫通した状態となったときに、スライドさせることによって、第１帯状延出部１２０及び第２帯状延出部２２０の長手方向に沿った動きを止めるものである。具体的には、ストッパー２８０をスライドさせることにより、第１帯状延出部１２０はストッパー２８０によって折り曲げられた状態となるため、第１帯状延出部１２０と第２帯状延出部２２０とが対面接触した状態となる。これにより、第１帯状延出部１２０及び第２帯状延出部２２０の長手方向に沿った動きを止めることができる。
【００８３】
このような構成において、第１保持バンド１００と第２保持バンド２００とを連結する際には、第２保持バンド２００の第１帯状延出部１２０を第２帯状延出部２２０の裏面側から帯状延出部通し孔２７０を貫通させた状態としたのちに、当該ストッパー２８０をスライドさせる。これにより、第１帯状延出部１２０はストッパー２８０によって折り曲げられた状態となるため、第１帯状延出部１２０の裏面１２０ｂと第２帯状延出部２２０の表面２２０ａとが対面接触した状態となり、図８に示すように、第１保持バンド１００と第２保持バンド２００とを連結することができる。なお、図８に示すように、第１保持バンド１００と第２保持バンド２００とが連結された状態においては、ストッパー２８０によって、第１帯状延出部１２０及び第２帯状延出部２２０の長手方向に沿った動きを止めることができる。
【００８４】
実施形態３に係る園芸植物保持具３０によれば、実施形態１に係る園芸植物保持具１０と同様の効果を有するとともに、実施形態３に係る園芸植物保持具３０においては、第１帯状延出部１２０及び第２帯状延出部２２０との長手方向に沿った動きを止めるストッパー２８０が設けられているため、第１帯状延出部１２０と第２帯状延出部２２０の連結が容易に外れてしまうことがないという効果も有している。なお、ストッパー２８０はスライド可能となっているため、ストッパー２８０をスライドさせるだけの簡単な操作を行うだけで第１保持バンド１００と第２保持バンド２００との連結を容易に行うことができる。
【００８５】
実施形態３に係る園芸植物保持具３０においては、第２帯状延出部２２０の側に帯状延出部通し孔２７０及びストッパー２８０を設けた場合を例示したが、第１帯状延出部１２０の側に帯状延出部通し孔及びストッパーを設けるようにしてもよい。
【００８６】
なお、本考案は上述の実施形態に限られるものではなく、本考案の要旨を逸脱しない範囲で種々変形実施可能となるものである。たとえば、下記に示すような変形実施も可能である。
【００８７】
（１）上記各実施形態においては、第１保持バンド１００及び第２保持バンド２００は、可撓性を有する合成樹脂でなるものとして説明したが、当該第１保持バンド１００の第１帯状延出部１２０及び第２保持バンド２００の第２帯状延出部２２０に、それぞれ可塑性の素材（例えば、針金など）を添わせるようにしてもよく、また、第１帯状延出部１２０及び第２帯状延出部２２０の内部にそれぞれ可塑性の素材を埋設するようにしてもよい。このように、可塑性の素材を添わせたり、埋設させたりすることによって、第１保持バンド１００及び第２保持バンド２００を様々な形状（例えば円弧形状、途中で屈曲させた形状など）とすることができ、しかも、その形状を保持することができる。それによって、第１保持バンド１００及び第２保持バンド２００を、植物の枝葉の張り具合など合わせて所望の形状で支柱間に架け渡すことができる。
【００８８】
（２）上記実施形態１においては、第１保持バンド１００の第１連結部１３０は、断面がほぼＣ字状の長溝１３１を第１保持バンド１００の第１帯状延出部１２０の表面１２０ａ上に形成するようにしたが、第１保持バンド１００の第１帯状延出部１２０の長手方向に沿って長孔を形成するようにしてもよい。
【００８９】
（３）上記各実施形態においては、支柱（第１支柱５１０、第２支柱５２０及び第３支柱５３０）は、本考案の園芸植物保持具とは別部品としたが、本考案の園芸植物保持具専用の支柱を用意して、当該本考案の園芸植物保持具専用の支柱を含めて「本考案の園芸植物保持具」としてもよい。
【００９０】
（４）上記各実施形態においては、第１保持バンド１００の第１支柱把持部１１０及び第２保持バンド２００の第２支柱把持部２１０の内径は、一種類ではなく、様々な内径の支柱把持部を有する第１保持バンド１００及び第２保持バンド２００を用意するようにしてもよい。これにより、支柱の太さ（外径）に適合する内径の支柱把持部を有する第１保持バンド１００及び第２保持バンド２００を選択して使用することができる。
【符号の説明】
【００９１】
１０・・・実施形態１に係る園芸植物保持具、２０・・・実施形態２に係る園芸植物保持具、３０・・・実施形態３に係る園芸植物保持具、１００・・・第１保持バンド、１１０・・・第１支柱把持部、１２０・・・第１帯状延出部、１２０ａ，２２０ａ・・・表面、１２０ｂ，２２０ｂ・・・裏面、１３０・・・第１連結部、１３１・・・長溝、１３５・・・貫通孔、１５０，２６０・・・滑り止め溝、２００・・・第２保持バンド、２１０・・・第２支柱把持部、２２０・・・第２帯状延出部、２３０・・・第２連結部、２３１・・・凸部、２３５・・・突起、２５０，１６０・・・滑り止め凸部、２７０・・・帯状延出部通し孔、２８０・・・ストッパー、５１０・・・支柱（第１支柱）、５２０・・・支柱（第２支柱）５３０・・・支柱（第３支柱）
【図１】
0003190150.tif 000003
【図２】
0003190150.tif 000004
【図３】
0003190150.tif 000005
【図４】
0003190150.tif 000006
【図５】
0003190150.tif 000007
【図６】
0003190150.tif 000008
【図７】
0003190150.tif 000009
【図８】
0003190150.tif 000010
【図９】
0003190150.tif 000011